(57)【要約】【課題】  部品数を増大させることなく、また簡単な操作でキーコードの変換を可能にし、部品コスト、組立てコストの低減化、キーコード変換操作の簡単化、容易化を図る。【解決手段】  内筒２と、複数の棒形のキー５と、キーコード変換用の棒形のチェンジキー６とを備える。鍵孔１の奥に、チェンジキー６の先端部と係合する孔７ａを内筒２の軸心位置に有してチェンジキー６の回転操作で軸心を中心に一定角度づつ断続回転するプレート７を設ける。孔７ａを、軸心を中心に一定角度づつ等間隔にあけて凸片部７ａ１を内方に突き出させて凹凸状に形成する。溝６１、５１を、チェンジキー６及びキー５の先端部に、各キーの軸心を中心に一定角度づつ等間隔にあけて長手方向に延びて形成する。キー５の溝５１の形成位置を、各キー５について、断続回転するプレート７の一定角度だけずらして形成する。【選択図】      図１
2005325551.tif 000002
【特許請求の範囲】
【請求項１】
前面に鍵孔が開口されている内筒と、この内筒の鍵孔に挿し込み方向が同一に規制されて挿し込まれる複数の棒形のキーと、また上記の鍵孔に挿し込まれるキーコード変換用の棒形のチェンジキーとを備え、上記の鍵孔の奥に、鍵孔に挿し込まれたチェンジキーの先端部と係合する孔を内筒の軸心位置に有してチェンジキーの回転操作で軸心を中心に一定角度づつ断続回転するリング状のプレートが設けられ、このプレートの孔が軸心を中心に一定角度づつ等間隔にあけて凸片部が内方に突き出されて凹凸状に形成され、この凸片部に係合する溝が、チェンジキー及び棒形のキーの先端部に各キーの軸心を中心に一定角度づつ等間隔にあけて長手方向に延びて形成され、棒形のキーの溝の形成位置が、各棒形のキーについて、断続回転するプレートの一定角度だけずらされて形成されていることを特徴とするキーコード変換式シリンダ錠。
【請求項２】
請求項１記載のキーコード変換式シリンダ錠であって、プレートを断続回転させるための機構が、プレートの背面に孔の軸心を中心にして一定角度づつ等間隔にあけて円軌跡上に形成されている凹みと、この凹みのなかで更に軸心を中心に一定角度づつ等間隔にあけた位置の凹みに係合されている鋼球と、この鋼球を介してプレートを前方に押圧し内筒の後端面に圧着するため軸心周りに軸方向に沿って設けられているコイルバネとで形成されていることを特徴とするキーコード変換式シリンダ錠。
【請求項３】
請求項２記載のキーコード変換式シリンダ錠であって、プレートの凹みが孔の軸心を中心に４０度づつあけて形成され、鋼球が孔の軸心を中心に１２０度づつあけた位置の凹みに係合され、プレートの凸片部が孔の軸心を中心に１２０度づつあけて形成され、また棒形のキーを３個備え、この棒形のキーの溝が、棒形のキーの軸心を中心に１２０度づつあけて且つ各棒形のキーについて溝の形成位置が４０度づつずらされて形成されていることを特徴とするキーコード変換式シリンダ錠。
【発明の詳細な説明】
【技術分野】
【０００１】
本発明はシリンダ錠に関し、更に詳しくはチェンジキーでキーコードを変換し、シリンダ錠を変えることなく鍵違いを簡単に作ることができるよう形成したキーコード変換式シリンダ錠に関するものである。
【背景技術】
【０００２】
従来この種のシリンダ錠としては、例えば一直線上に錠止ピンと駆動ピンとを並べ、この各ピンを軸回りにぐるっと配置し、且つ所定の錠止ピンと駆動ピンの間に球体を介在させ、この球体の介在位置を第１補助鍵と第２補助鍵を使用して移動させ、これにより解錠条件を変換できるよう形成しているものがある（例えば特許文献１参照）。
【０００３】
この種の錠は、例えば賃貸マンションやアパート等において賃借人が変わったとき、或は部屋のキーを紛失したときなど、元のキーによる不正解錠を防止でき、またシリンダ錠自体を取り替える必要がないため、家主等にとっては経済的な負担を低減できるものである。
しかし従来品は、上記の通り、一直線状に並べたピンと、このピンの間の球体との作用でキーコードを変換する構造であった。従って従来品の場合は、先ず第１補助鍵を使って錠軸を所定角度回転させ、錠本体の各受孔に対する錠軸の各通孔の位置を変え、次に第２補助鍵で錠軸を所定角度逆回転させて元の位置に戻し、球体を他の特定の受孔に対応する通孔内に移動させる、という煩わしい操作を伴うものであった。
それ故従来品によると、キーコードの変換操作が不便であり、またピンの長さや種類を変えたり、第１補助鍵、第２補助鍵などの部品が必要であったから、部品数が増加し、その結果部品コスト、組立てコストが増加する、という問題点があった。
【特許文献１】特開平７−７５６８８号公報
【発明の開示】
【発明が解決しようとする課題】
【０００４】
本発明は、このような従来技術の問題点に鑑み、提案されたものである。
従って本発明の解決しようとする技術的課題は、部品数を増大させることなく、また簡単な操作でキーコードを変換でき、部品コスト、組立てコストの低減化、キーコード変換操作の簡単化、容易化を図ることができるよう形成したキーコード変換式シリンダ錠を提供することにある。
【課題を解決するための手段】
【０００５】
本発明は、上記の課題を解決するため、次のような技術的手段を採る。
即ち本発明は、図１等に示されるように、前面に鍵孔１が開口されている内筒２と、この内筒２の鍵孔１に挿し込み方向が同一に規制されて挿し込まれる複数の棒形のキー５と、また上記の鍵孔１に挿し込まれるキーコード変換用の棒形のチェンジキー６とを備え、上記の鍵孔１の奥に、鍵孔１に挿し込まれたチェンジキー６の先端部と係合する孔７ａを内筒２の軸心位置に有してチェンジキー６の回転操作で軸心を中心に一定角度づつ断続回転するリング状のプレート７が設けられ、このプレート７の孔７ａが軸心を中心に一定角度づつ等間隔にあけて凸片部７ａ１が内方に突き出されて凹凸状に形成され、この凸片部７ａ１に係合する溝６１、５１が、チェンジキー６及び棒形のキー５の先端部に各キーの軸心を中心に一定角度づつ等間隔にあけて長手方向に延びて形成され、棒形のキー５の溝５１の形成位置が、各棒形のキー５について、断続回転するプレート７の一定角度だけずらされて形成されていることを特徴とする（請求項１）。
【０００６】
本発明の場合、凸片部７ａ１の間隔（一定角度）や、この凸片部７ａ１に係合するチェンジキー６、棒形のキー５の溝６１、５１の間隔（一定角度）は、適宜選定されるので良く、その間隔の選定によって変換数を増減できる。即ち本発明は、例えば鍵違いの棒形のキー５の本数を増やしたい場合は、凸片部７ａ１の間隔を狭めることにより実現される。またここで、棒形とは、キー５またはチェンジキー６の軸部はプレート７を先端部で断続回転可能に形成されているのであれば、その断面形状は任意である、ということを意味する。本発明の場合、キー５またはチェンジキー６の軸部は、具体的には円筒形、角筒形（例えば三角筒形や四角筒形等）、円柱形、角柱形等に形成されることにより実現される。
【０００７】
また本発明の場合、プレート７を断続回転させるための機構８は、プレート７の背面に孔７ａの軸心を中心にして一定角度づつ等間隔にあけて円軌跡上に形成されている凹み８ａと、この凹み８ａのなかで更に軸心を中心に一定角度づつ等間隔にあけた位置の凹み８ａに係合されている鋼球８ｂと、この鋼球８ｂを介してプレート７を前方に押圧し内筒２の後端面２ｅに圧着するため軸心周りに軸方向に沿って設けられているコイルバネ８ｃとで形成されているのが好ましい（請求項２）。
【０００８】
なぜならこれによると、プレート７の断続回転を簡単な構造で確実に実現できるからである。またこれによると、チェンジキー６を回転操作する度に、鋼球８ｂが凹み８ａに係合と離脱を繰り返すため、キーコードの変換を手応えを感じた状態で、また角度を認識しつつ行うことができるからである。
【０００９】
また請求項２記載の本発明の場合は、プレート７の凹み８ａが孔７ａの軸心を中心に４０度づつあけて形成され、鋼球８ｂが孔７ａの軸心を中心に１２０度づつあけた位置の凹み８ａに係合され、プレート７の凸片部７ａ１が孔７ａの軸心を中心に１２０度づつあけて形成され、また棒形のキー５を３個備え、この棒形のキー５の溝５１が、棒形のキー５の軸心を中心に１２０度づつあけて且つ各棒形のキー５について溝５１の形成位置が４０度づつずらされて形成されているのが好ましい（請求項３）。
【００１０】
なぜならこれによると、回転角度が１２０度で鍵違いになるキーコード変換システムを実現でき、３個（本）の棒形のキー５を備えた使い勝手の良いシリンダー錠を提供できるからである。
【発明の効果】
【００１１】
本発明のシリンダ錠は、このように断続回転するプレートと、このプレートを断続回転させてキーコードを変換するためのチェンジキーと、変換されたキーコードに適合する複数の棒形のキーとで形成されているものである。
従って本発明の場合は、キーコード変換用の部品数を減少でき、構造を簡単化、簡素化、また操作を簡単化できるから、これによれば部品コスト、組立てコストの低減化、故障の発生率の低減化、更にはキーコード変換操作の簡便化を図ることができる。
また本発明の場合は、現在変換されているコード内容を把握していなくても、チェンジキーを鍵孔に挿し込み回転操作することで、コード内容を容易にリセットできる。またコード内容を不正に変更されることがあっても、即時、是正処置を行うことができる。
従ってこれによれば、リセットが容易で、リセットすることで基準位置から改めて第１番目のキーの使用が可能になるから、使い勝手が良くなる、という利点がある。
また本発明は、１個（本）のチェンジキーによる簡単な操作で、内筒を回転させることなくキーコードを変換でき、従来品のような正逆方向への回転操作など、特殊な操作が不要である。
従ってこれによれば、キーコード変換操作の簡単化、容易化、手間暇の軽減化を図ることができるだけではなく、アパート等において多数のシリンダー錠が使用されている場合でも、管理運用上の煩雑さを解消できる。
【発明を実施するための最良の形態】
【００１２】
以下、本発明を実施するための最良の形態を説明する。
図１等において、１は鍵孔であり、２はこの鍵孔１が前面に円筒状に開口されている内筒である。この内筒２は、前側パーツ２ａと後側パーツ２ｂがピン２ｃ（図６等参照）で連結され、後面が塞がれている。３は、円筒状の鍵孔１を形作るため、内筒２の軸心位置に内筒２の長手方向に沿って配置されている断面円形の軸棒である。内筒２は、図６に示されるように、その周面にタンブラーピン（図示せず）の収納孔２ｄが形成されている。４は、内筒２に外装されているシリンダーケースである。このシリンダーケース４には、ドライバーピン（図示せず）やコイルバネ（図示せず）の収納孔４ａが形成され、この収納孔４ａは蓋４ｂで塞がれている。
【００１３】
５は、鍵孔１に、挿し込み方向が同一に規制されて挿し込まれる複数の棒形のキーである。この実施形態に係る本発明は、キー５の軸部が円筒形に形成されると共に、このキー５を３個（本）備えて形成されている。各キー５の周面には、タンブラーピン（図示せず）の先端が係合する凹部５ａが複数形成されている。またキー５には、鍵孔１の上下位置の切欠き１ａに係合するフィン状の係合片５ｂが上下一対状に形成され、この係合片５ｂで挿入方向が各キー５で同一になるよう形成されている。
【００１４】
また６は、上記の鍵孔１に挿し込まれるキーコード変換用の棒形のチェンジキーである。このチェンジキー６は、この実施形態では軸部が円筒形に形成され、上記のキー５にみられる凹部５ａや係合片５ｂは省略されている。
【００１５】
７（図１、図２等参照）は、チェンジキー６の回転操作で軸心を中心に一定角度づつ断続回転するリング状のプレートである。このプレート７は、鍵孔１に挿し込まれたチェンジキー６の先端部と係合する孔７ａを内筒２の軸心位置に有し、鍵孔１の奥に設けられている。このプレート７の孔７ａは、軸心を中心に一定角度づつ等間隔にあけて内方に突き出された凸片部７ａ１を有して凹凸状に形成されている。凸片部７ａ１は、孔７ａの軸心を中心に１２０度づつあけて形成されている。
【００１６】
而して上記の棒形のキー５及びチェンジキー６の先端部には、凸片部７ａ１に係合する溝５１、６１（図１Ｂ、Ｃ等参照）が各キー５、６の軸心を中心に、この実施形態では１２０度づつ等間隔にあけて、且つ長手方向に延びて形成されている。そして棒形のキー５の先端部の溝５１は、図１０〜図１２に示されるように、各棒形のキー５についてその形成位置が断続回転するプレート７の凹み８ａの形成角度（この実施形態では４０度）だけずらされて形成されている。棒形のキー５の内、プレート７が基準位置にあるとき使用されるキー（これを以下、第１番目（ＮＯ１）のキーとする。図１０参照）は、溝５１の形成位置が、チェンジキーの溝６１（図９参照）と同一に形成されている。
【００１７】
８（図１参照）は、プレート７を断続回転させるための機構である。この機構８は、図４、図５に示されるように、プレート７の背面に孔７ａの軸心を中心にして一定角度（この実施形態では４０度）づつ等間隔にあけて円軌跡上に形成されている凹み８ａと、この凹み８ａのなかで更に軸心を中心に一定角度（この実施形態では１２０度）づつ等間隔にあけた位置の凹み８ａに係合されている鋼球８ｂと、この鋼球８ｂを介してプレート７を前方に押圧し内筒２の後端面２ｅ（図１Ａ、図７参照）に圧着するため軸心周りに軸方向に沿って設けられているコイルバネ８ｃ（図１Ａ等参照）とで形成されている。このコイルバネ８ｃは、鋼球８ｂに対応して配置されるため、この実施形態では軸心を中心に１２０度づつあけて設けられている。
【００１８】
次に本発明の作用を、図１３等に従って説明する。
先ず使用者は、プレート７が基準位置（図１３Ａ参照）の状態で鍵孔１にチェンジキー６を挿し込み、チェンジキー６の先端部の溝６１を、プレート７の孔７ａに係合させ、プレート７をチェンジキー６によって例えば４０度時計方向に回転させる（同図Ｂ参照）。プレート７は、コイルバネ８ｃによって弾発され、内筒２の後端面２ｅに圧着されている。従ってチェンジキー６にコイルバネ８ｃの弾発力を超える回転力が加わると、鋼球８ｂの位置の凹み８ａが鋼球８ｂから外れ、基準位置の凹み８ａが４０度回転し、基準位置からマイナス４０度（時計方向に３２０度）の位置の凹み８ａが基準位置に回転して鋼球８ｂと係合する。これによりプレート７は、基準位置から４０度ずらされる。チェンジキー６は、棒形のキー５とは異なり、凹み８ａや係合片５ｂを省略した形状である。従ってチェンジキー６は、内筒２との関わりがなく（内筒２を回転させることなく）、３６０度正逆方向に回転可能である。プレート７は、このようにしてチェンジキー６により回転され、４０度ごと断続回転する。従ってプレート７は、凸片部７ａ１の位置が４０度づつ変わり、４０度づつキーコードが変換する。
【００１９】
３個（本）の棒形のキー５の内、図１０に示される第１番目（ＮＯ１）のキーは、基準位置で使用する。そしてチェンジキー６の回転操作により、プレート７が基準位置から４０度ずらされた場合は、図１１に示される第２番目（ＮＯ２）のキーの使用が可能になる。またチェンジキー６を更に４０度時計方向に回転し、プレート７が基準位置から８０度回転すると（同図Ｃ参照）、図１２に示される第３番目（ＮＯ３）のキーが使用可能になる。即ちこの実施形態に係る本発明は、チェンジキー６を４０度づつ回転することで、第１〜第３番目（ＮＯ１〜ＮＯ３）のキーの使用が可能になる。各キーの具体的な使用可能角度は、第１番目のキーは、０度、１２０度、２４０度（同図Ａ、Ｄ、Ｇ参照）、第２番目のキーは、４０度、１６０度、２８０度（同図Ｂ、Ｅ、Ｈ参照）、第３番目のキーは、８０度、２００度、３２０度（同図Ｃ、Ｆ、Ｉ参照）である。
【００２０】
本発明の場合、各棒形のキー５は、鍵孔１の上下の切欠き１ａに棒形のキー５の係合片５ｂが係合しなければ挿し込めないため、鍵孔１に対しての挿し込み方向は同一に規制される。従って棒形のキー５の溝５１が、プレート７の孔７ａに適合すると、棒形のキー５は正規位置まで深く挿入され、タンブラーピン等と適合して、内筒２が回転可能になる。溝５１が不適合の棒形のキー５は、正規の位置まで深く挿入できない。従って周面の凹部５ａにタンブラーピンが係合しないため、施開錠できない。この実施形態に係る本発明は、チェンジキー６を４０度づつ回転することにより、キーコードを変換して第１番目のキーから第３番目のキーまでの棒形のキー５を鍵違いとして使用できる。
【００２１】
以上の処において、上例では、鍵孔１に切欠き１ａを形成し、これによって棒形のキー５の挿し込み方向を３個（本）とも同一になるよう規制しているが、本発明はこれに限定されるものではない。即ち本発明は、その他例えば内筒２の前面の鍵孔１の上部に印を付け、この印に棒形のキー５の板状の握り部の垂直面が合うよう位置決めして棒形のキー５の挿し込み方向を同一に規制するのでも良い。
【図面の簡単な説明】
【００２２】
【図１】本発明のシリンダ錠の好適な一実施形態を示し、Ａは縦断面図、Ｂは棒形のキーの要部側面図、Ｃはチェンジキーの要部側面図である。
【図２】プレートの正面図である。
【図３】図２のＩＩＩ―ＩＩＩ線における断面図である。
【図４】プレートの背面図である。
【図５】鋼球の配置位置とチェンジキーの挿し込まれた状態を示すプレートの背面図である。
【図６】Ａは内筒の正面図、Ｂは内筒の側面図、Ｃは内筒の背面図である。
【図７】図６のＶＩＩ―ＶＩＩ線における断面図である。
【図８】図６のＶＩＩＩ―ＶＩＩＩ線における断面図である。
【図９】チェンジキーを示し、Ａは要部側面図、ＢはＡのＢ―Ｂ線断面図である。
【図１０】第１番目の棒形のキーを示し、Ａは要部側面図、ＢはＡのＢ―Ｂ線断面図である。
【図１１】第２番目の棒形のキーを示し、Ａは要部側面図、ＢはＡのＢ―Ｂ線断面図である。
【図１２】第３番目の棒形のキーを示し、Ａは要部側面図、ＢはＡのＢ―Ｂ線断面図である。
【図１３】Ａ〜Ｊとも、同上シリンダ錠の作用を説明するための、プレートの正面図である。
【符号の説明】
【００２３】
１    鍵孔
２    内筒
３    軸棒
４    シリンダーケース
５    棒形のキー
５１  溝
６    チェンジキー
６１  溝
７    プレート
７ａ    孔
７ａ１  凸片部
【図１】
2005325551.tif 000003
【図２】
2005325551.tif 000004
【図３】
2005325551.tif 000005
【図４】
2005325551.tif 000006
【図５】
2005325551.tif 000007
【図６】
2005325551.tif 000008
【図７】
2005325551.tif 000009
【図８】
2005325551.tif 000010
【図９】
2005325551.tif 000011
【図１０】
2005325551.tif 000012
【図１１】
2005325551.tif 000013
【図１２】
2005325551.tif 000014
【図１３】
2005325551.tif 000015